(57)【要約】【課題】ユーザの操作に基づいて不正ユーザを通知できる画像形成システムの提供。【解決手段】画像形成装置は、ユーザによる操作を検知する操作検知部と、検知された操作から得られる操作特性から特徴量を取得し、特徴量を管理サーバに送信する特徴量取得部とを備え、管理サーバは、登録ユーザの操作モデルが記憶された記憶部と、ユーザが操作した画像形成装置から特徴量を受信する特徴量受信部と、特徴量に基づきユーザの操作モデルを算出する操作モデル算出部と、ユーザの操作モデルと記憶されている登録ユーザの操作モデルとの類似率を計算する類似率計算部と、類似率がしきい値以上である場合に、当該登録ユーザのものとして記憶している操作モデルをユーザの操作モデルで更新する操作モデル更新部と、画像形成装置を操作しているユーザは、グループに登録されていない不正ユーザであるとして管理者に通知する不正ユーザ通知部とを備える。【選択図】図４
2019080132.tif 000002
【特許請求の範囲】
【請求項１】
ネットワーク接続された、管理サーバーと前記管理サーバーによりグループに分けて管理される1以上の画像形成装置とを含み、
前記1以上の画像形成装置の各々は、
前記管理サーバーと通信可能な第1の通信部と、
ユーザーによる操作を検知する操作検知部と、
前記操作検知部により検知された操作から得られる操作特性から特徴量を取得し、取得した前記特徴量を前記管理サーバーに送信する特徴量取得部と
を備え、
前記管理サーバーは、
前記グループに登録された1以上の登録ユーザーの操作モデルが記憶された記憶部と、
前記1以上の画像形成装置と通信可能な第２の通信部と、
前記1以上の画像形成装置を前記グループに分けて管理する画像形成装置管理部と、
前記ユーザーが操作した画像形成装置から前記特徴量を受信する特徴量受信部と、
前記特徴量に基づき前記ユーザーの操作モデルを算出する操作モデル算出部と、
前記ユーザーの操作モデルと前記記憶部に記憶されている前記1以上の登録ユーザーの操作モデルの各々との類似率を計算し、前記類似率がしきい値以上である前記登録ユーザーの操作モデルがあれば操作モデル更新部を呼び出し、前記類似率がいずれの前記グループ内の登録ユーザーの操作モデルに対してもしきい値未満であれば不正ユーザー通知部を呼び出す類似率計算部と、
前記類似率計算部で前記類似率がしきい値以上である操作モデルが記憶されていた場合に、当該登録ユーザーのものとして記憶している操作モデルを前記ユーザーの操作モデルで更新する前記操作モデル更新部と、
現在画像形成装置を操作しているユーザーは、前記グループに登録されていない不正ユーザーであるとして管理者に通知する前記不正ユーザー通知部と
を備えた
画像形成システム。
【請求項２】
請求項１に記載の画像形成システムであって、
前記操作検知部は、加速度センサを備えたペーパートレイを含み、
前記特徴量は、前記ペーパートレイの引き出し速度および戻し速度を含む
画像形成システム。
【請求項３】
請求項１または２に記載の画像形成システムであって、
前記操作検知部は、加速度センサを備えた天板を含み、
前記特徴量は、前記天板の上げ下げ速度を含む
画像形成システム。
【請求項４】
ネットワーク接続された、管理サーバーと前記管理サーバーによりグループに分けて管理される1以上の画像形成装置とを含む画像形成システムにおける画像形成方法であって、
前記画像形成装置の操作検知部が、ユーザーによる操作を検知し、
前記画像形成装置の特徴量取得部が、前記操作検知部により検知された操作から得られる操作特性から特徴量を取得し、取得した前記特徴量を前記管理サーバーに送信し、
前記管理サーバーの記憶部が、前記グループに登録された1以上の登録ユーザーの操作モデルを記憶し、
前記管理サーバーの特徴量受信部が、前記ユーザーが操作した画像形成装置から前記特徴量を受信し、
前記管理サーバーの操作モデル算出部が、前記特徴量に基づき前記ユーザーの操作モデルを算出し、
前記管理サーバーの類似率計算部が、前記ユーザーの操作モデルと記憶されている前記1以上の登録ユーザーの操作モデルの各々との類似率を計算し、前記類似率がしきい値以上である前記登録ユーザーの操作モデルがあれば操作モデル更新部を呼び出し、前記類似率がいずれの前記グループ内の登録ユーザーの操作モデルに対してもしきい値未満であれば不正ユーザー通知部を呼び出し、
前記管理サーバーの前記操作モデル更新部が、前記類似率計算部で前記類似率がしきい値以上である操作モデルが記憶されていた場合に、当該登録ユーザーのものとして記憶している操作モデルを前記ユーザーの操作モデルで更新し、
前記管理サーバーの前記不正ユーザー通知部が、現在画像形成装置を操作しているユーザーは、前記グループに登録されていない不正ユーザーであるとして管理者に通知する
画像形成方法。
【発明の詳細な説明】
【技術分野】
【０００１】
本発明は、ユーザー認証にユーザーの操作特性を用いる画像形成システムおよび画像形成方法に関する。
【背景技術】
【０００２】
従来、情報処理装置の認証を行う方法として、個々の機器で本人認証を行うために、行動特性を用いた認証方法がある。キーボードのキーストロークやマウスのクリック速度、ファイルアクセスの方法などの端末情報を利用し、ユーザーの行動を解析して本人推定するシステムが提案されている（例えば、特許文献１または２参照）。
【先行技術文献】
【特許文献】
【０００３】
【特許文献１】特開２００９−１７５９８４号公報
【特許文献２】特開２０１６−６６１３２号公報
【発明の概要】
【発明が解決しようとする課題】
【０００４】
しかし、画像形成装置のユーザーをユーザーの操作により認証するにあたり、不正ユーザーを管理者に通知することは行われていなかった。
【０００５】
以上のような事情に鑑み、本発明の目的は、ユーザーの操作に基づいて不正ユーザーを通知できる画像形成システムおよび画像形成方法を提供することにある。
【課題を解決するための手段】
【０００６】
上記目的を達成するため、本発明の一形態に係る画像形成システムは、ネットワーク接続された、管理サーバーと前記管理サーバーによりグループに分けて管理される1以上の画像形成装置とを含み、前記1以上の画像形成装置の各々は、前記管理サーバーと通信可能な第1の通信部と、ユーザーによる操作を検知する操作検知部と、前記操作検知部により検知された操作から得られる操作特性から特徴量を取得し、取得した前記特徴量を前記管理サーバーに送信する特徴量取得部とを備え、前記管理サーバーは、前記グループに登録された1以上の登録ユーザーの操作モデルが記憶された記憶部と、前記1以上の画像形成装置と通信可能な第２の通信部と、前記1以上の画像形成装置を前記グループに分けて管理する画像形成装置管理部と、前記ユーザーが操作した画像形成装置から前記特徴量を受信する特徴量受信部と、前記特徴量に基づき前記ユーザーの操作モデルを算出する操作モデル算出部と、前記ユーザーの操作モデルと前記記憶部に記憶されている前記1以上の登録ユーザーの操作モデルの各々との類似率を計算し、前記類似率がしきい値以上である前記登録ユーザーの操作モデルがあれば操作モデル更新部を呼び出し、前記類似率がいずれの前記グループ内の登録ユーザーの操作モデルに対してもしきい値未満であれば不正ユーザー通知部を呼び出す類似率計算部と、前記類似率計算部で前記類似率がしきい値以上である操作モデルが記憶されていた場合に、当該登録ユーザーのものとして記憶している操作モデルを前記ユーザーの操作モデルで更新する前記操作モデル更新部と、現在画像形成装置を操作しているユーザーは、前記グループに登録されていない不正ユーザーであるとして管理者に通知する前記不正ユーザー通知部とを備える。
【０００７】
そのため、ユーザーの操作に基づいて不正ユーザーを通知できる。
【０００８】
上記目的を達成するため、本発明の一形態に係る画像形成システムでは、前記操作検知部は、加速度センサを備えたペーパートレイを含み、前記特徴量は、前記ペーパートレイの引き出し速度および戻し速度を含む構成でもよい。
【０００９】
上記目的を達成するため、本発明の一形態に係る画像形成システムでは、前記操作検知部は、加速度センサを備えた天板を含み、前記特徴量は、前記天板の上げ下げ速度を含む構成でもよい。
【００１０】
上記目的を達成するため、本発明の一形態に係る画像形成方法は、ネットワーク接続された、管理サーバーと前記管理サーバーによりグループに分けて管理される1以上の画像形成装置とを含む画像形成システムにおける画像形成方法であって、前記画像形成装置の操作検知部が、ユーザーによる操作を検知し、前記画像形成装置の特徴量取得部が、前記操作検知部により検知された操作から得られる操作特性から特徴量を取得し、取得した前記特徴量を前記管理サーバーに送信し、前記管理サーバーの記憶部が、前記グループに登録された1以上の登録ユーザーの操作モデルを記憶し、前記管理サーバーの特徴量受信部が、前記ユーザーが操作した画像形成装置から前記特徴量を受信し、前記管理サーバーの操作モデル算出部が、前記特徴量に基づき前記ユーザーの操作モデルを算出し、前記管理サーバーの類似率計算部が、前記ユーザーの操作モデルと記憶されている前記1以上の登録ユーザーの操作モデルの各々との類似率を計算し、前記類似率がしきい値以上である前記登録ユーザーの操作モデルがあれば操作モデル更新部を呼び出し、前記類似率がいずれの前記グループ内の登録ユーザーの操作モデルに対してもしきい値未満であれば不正ユーザー通知部を呼び出し、前記管理サーバーの前記操作モデル更新部が、前記類似率計算部で前記類似率がしきい値以上である操作モデルが記憶されていた場合に、当該登録ユーザーのものとして記憶している操作モデルを前記ユーザーの操作モデルで更新し、前記管理サーバーの前記不正ユーザー通知部が、現在画像形成装置を操作しているユーザーは、前記グループに登録されていない不正ユーザーであるとして管理者に通知する。
【発明の効果】
【００１１】
以上のように、本発明によれば、操作パネルの押下げ圧力に加えて、ペーパートレイの引き出し速度および天板の上げ下ろし速度に基づいてユーザーを認証できる。
【図面の簡単な説明】
【００１２】
【図１】本発明の一実施形態に係る画像形成システム１の全体構成図である。
【図２】管理サーバー１０が一般的なコンピューターにより構成される場合の構成図である。
【図３】画像形成装置２０の構成を概略的に示す構成図である。
【図４】画像形成システム１における処理の流れについて説明するためのフローチャートである。
【発明を実施するための形態】
【００１３】
以下、図面を参照しながら、本発明の実施形態を説明する。
【００１４】
［全体構成］
最初に、本発明の一実施形態に係る画像形成システム１の全体構成を説明する。図１は、本発明の一実施形態に係る画像形成システム１の全体構成図である。
【００１５】
画像形成システム１は、ネットワーク接続された管理サーバー１０と画像形成装置２０を含んで構成される。
【００１６】
管理サーバー１０は、画像形成装置２０を管理すると共に、画像形成装置２０を使用するユーザーの、画像形成装置２０に対する操作特性に基づいてユーザーを認証する。
【００１７】
画像形成装置２０は、グループ（図では、グループＡおよびグループＢ）にまとめられて管理サーバー１０により管理される。ユーザーも同じグループに登録され管理される。
【００１８】
画像形成装置２０は、一般的なユーザーＩＤ（Identification）とパスワードによる画像形成装置２０へのログインによりユーザー認証されるのではなく、ユーザーの画像形成装置２０に対する操作の操作特性に基づいて取得された特徴量から算出された、ユーザーごとの操作モデルによりユーザー認証される。
【００１９】
例えば、グループＡに操作モデルが登録されているユーザーは、グループＡに属するどの画像形成装置２０を使う場合でも、その操作によりユーザー認証が行われ、使用することが出来る。
【００２０】
もし、管理サーバー１０が管理するグループに操作モデルが登録されていないユーザーがそのグループに属する画像形成装置２０を操作すると、不正ユーザーにより画像形成装置２０が使用された旨のメッセージが管理者に通知される。
【００２１】
以上のように、管理サーバー１０は、画像形成装置２０をグループ分けして管理する機能と、ユーザーを操作特性に応じて認証するユーザー認証機能とを持っている。
【００２２】
以上、画像形成システム１の全体構成について説明した。
【００２３】
［管理サーバーの構成］
次に、管理サーバー１０の構成について説明する。管理サーバー１０は、専用のハードウェアやソフトウェアにより構成されていてもよいし、一般的なコンピューターにより構成されてもよい。管理サーバー１０が一般的なコンピューターにより構成される場合の構成図を図２に示す。
【００２４】
同図に示すように、管理サーバー１０は、ＣＰＵ（Central Processing Unit）１１、ＲＯＭ（Read Only Memory）１２、ＲＡＭ（Random Access Memory）１３、操作入力部１４、通信部１５（第２の通信部）、表示部１６、および記憶部１７を有し、これら各ブロックがバス１８を介して接続されている。
【００２５】
ＲＯＭ１２は、各種の処理を実行するためのファームウェア等の複数のプログラムやデータを記憶する。ＲＡＭ１３は、ＣＰＵ１１の作業用領域として用いられ、ＯＳ（Operating System）、実行中の各種アプリケーション、処理中の各種データを一時的に保持する。
【００２６】
記憶部１７は、例えばＨＤＤ（Hard Disk Drive）や、フラッシュメモリー、その他の不揮発性メモリーである。記憶部１７には、ＯＳや各種アプリケーション、各種データ、上述したユーザーごとの操作モデル１７ａが記憶される。なお、操作モデル１７ａは、画像形成装置２０のグループごとに管理されている。
【００２７】
通信部１５は、ネットワーク上の画像形成装置２０等と情報のやりとりを行う為のネットワークと結ばれている。
【００２８】
ＣＰＵ１１は、ＲＯＭ１２や記憶部１７に格納された複数のプログラムのうち、操作入力部１４から与えられる命令に対応するプログラムをＲＡＭ１３に展開し、この展開されたプログラムにしたがって、表示部１６及び記憶部１７を適宜制御する。
【００２９】
操作入力部１４は、例えばマウス等のポインティングデバイス、キーボード、タッチパネル、その他の操作装置である。
【００３０】
表示部１６は、例えば液晶ディスプレイ、ＥＬ（Electro-Luminescence）ディスプレイ、プラズマディスプレイ等である。
【００３１】
次に、ＣＰＵ１１においてプログラムが実行されることにより実現される機能ブロックについて説明する。
【００３２】
管理サーバー１０のＣＰＵ１１において実現される機能ブロックは、特徴量受信部１１ａ、操作モデル算出部１１ｂ、類似率計算部１１ｃ、操作モデル更新部１１ｄ、不正ユーザー通知部１１ｅ、および画像形成装置管理部１１ｆである。
【００３３】
特徴量受信部１１ａは、画像形成装置２０から、ユーザーが画像形成装置２０を操作した操作特性からそれぞれ取得され、管理サーバー１０に対して送信された特徴量を受信する。
【００３４】
操作モデル算出部１１ｂは、特徴量受信部１１ａが画像形成装置２０から受信した特徴量に基づき、ユーザーの操作モデルを算出する。なお、操作モデルの算出方法は、一般的な公知の方法により算出すればよい。
【００３５】
類似率計算部１１ｃは、操作モデル算出部１１ｂが算出した、現在画像形成装置２０を操作しているユーザーの操作モデルと、記憶部１７に記憶されている1以上の登録ユーザーの操作モデルの各々との類似率を計算し、類似率がしきい値以上である登録ユーザーの操作モデルがあれば操作モデル更新部１１ｄを呼び出し、類似率がいずれのグループ内登録ユーザーの操作モデルに対してもしきい値未満であれば不正ユーザー通知部１１ｅを呼び出す。
【００３６】
操作モデル更新部１１ｄは、類似率計算部１１ｃで、類似率がしきい値以上である操作モデルが記憶されていた場合に、当該登録ユーザーのものとして記憶している操作モデルを現在画像形成装置２０の操作をしているユーザーの操作モデルで更新する。
【００３７】
不正ユーザー通知部１１ｅは、類似率計算部１１ｃで、類似率がいずれのグループ内登録ユーザーの操作モデルに対してもしきい値未満であった場合に、現在画像形成装置２０を操作しているユーザーは、グループに登録されていない不正ユーザーであるとして、管理者に通知する。通知方法は、例えば、電子メールなどを用いてもよい。
【００３８】
画像形成装置管理部１１ｆは、画像形成装置２０をグループに分けて管理する。管理内容としては、画像形成装置２０の構成を管理したり、消耗品を管理したり、画像形成装置２０の状態を管理したりする。
【００３９】
以上、管理サーバー１０の構成について説明した。
【００４０】
［画像形成装置の構成］
次に、画像形成装置２０の構成について説明する。図３は画像形成装置２０の構成を概略的に示す構成図である。
【００４１】
画像形成装置２０は、制御部２１を備える。制御部２１は、ＣＰＵ、ＲＡＭ、ＲＯＭ、および専用のハードウェア回路等から構成され、画像形成装置２０の全体的な動作制御を司る。
【００４２】
制御部２１は、原稿読取部２２、画像処理部２３、画像メモリー２４、画像形成部２５、操作部２６、表示部２６ａ、ファクシミリ通信部２７、通信部２８（第１の通信部）、記憶部２９、操作検知部３０、加速度センサ３０ａ、感圧センサ３０ｂ等と接続されている。制御部２１は、接続されている上記各部の動作制御や、各部との間での信号又はデータの送受信を行う。
【００４３】
制御部２１は、ユーザーから、操作部２６またはネッワーク接続されたＰＣ等を通じて入力されるジョブの実行指示に従って、スキャナ機能、印刷機能、コピー機能、およびファクシミリ送受信機能などの各機能についての動作制御を実行するために必要な機構の駆動及び処理を制御する。
【００４４】
また、制御部２１は、特徴量取得部２１ａを有している。特徴量取得部２１ａは、ＲＯＭなどからＲＡＭにロードされたプログラムがＣＰＵにより実行されることで実現される機能ブロックである。
【００４５】
特徴量取得部２１ａは、操作検知部３０により検知された操作から得られる操作特性から特徴量を取得し、取得した特徴量を管理サーバー１０に送信する。
【００４６】
なお、ここでは、以下のものを特徴量として取得する：
（１）タッチパネル部のタッチ圧力
（２）操作キー部の押下圧力
（３）操作時間と操作の待ち時間
（４）操作画面の遷移数（目的の操作画面への遷移がスムーズで迷いが無いか）
（５）ペーパートレイの引き出し速度および戻し速度
（６）天板の上げ下げ速度
【００４７】
原稿読取部２２は、原稿から画像を読み取る。
【００４８】
画像処理部２３は、原稿読取部２２で読み取られた画像の画像データを必要に応じて画像処理する。例えば、画像処理部２３は、原稿読取部２２により読み取られた画像が画像形成された後の品質を向上させるために、シェーディング補正等の画像処理を行う。
【００４９】
画像メモリー２４は、原稿読取部２２による読み取りで得られた原稿画像のデータを一時的に記憶したり、画像形成部２５での印刷対象となるデータを一時的に記憶したりする領域である。
【００５０】
画像形成部２５は、原稿読取部２２で読み取られた画像データ等の画像形成を行う。
【００５１】
操作部２６は、画像形成装置２０が実行可能な各種動作及び処理についてユーザーからの指示を受け付けるタッチパネル部および操作キー部を備える。タッチパネル部は、タッチパネルが設けられたＬＣＤ（Liquid Crystal Display）等の表示部２６ａを備えている。なお、タッチパネル部および操作キー部には操作検知部３０の感圧センサ３０ｂが備えられており、ユーザーが操作部２６を操作する際の押下げ圧力を検知する。
【００５２】
ファクシミリ通信部２７は、図示しない符号化／復号化部、変復調部、およびＮＣＵ（Network Control Unit）を備え、公衆電話回線網を用いてのファクシミリの送信を行う。
【００５３】
通信部２８は、ＬＡＮボード等の通信モジュールから構成され、通信部２８に接続されたＬＡＮ等を介して、管理サーバー１０など、ローカルエリア内の装置と種々のデータの送受信を行う。
【００５４】
記憶部２９は、原稿読取部２２によって読み取られた原稿画像などを記憶する。記憶部２９は、ＨＤＤなどの大容量の記憶装置である。
【００５５】
操作検知部３０は、ユーザーによる操作を検知する。例えば、加速度センサ３０ａは、画像形成装置２０のペーパートレイおよび天板に設置されており、ユーザーがペーパートレイを引き出す速度、元に戻す速度、ユーザーが天板を上げ下げする速度を検出する。また、例えば、感圧センサ３０ｂは、操作部のタッチパネル部および操作キー部に設置されており、ユーザーが操作部２６を操作する際の押下げ圧力を検知する。
【００５６】
以上、画像形成装置２０の構成について説明した。
【００５７】
［処理の流れ］
次に、画像形成システム１における処理の流れについて説明する。図４は、画像形成システム１における処理の流れについて説明するためのフローチャートである。
【００５８】
まず、ユーザーが、グループに属している画像形成装置２０の１つで、画像形成装置２０を操作する（ステップＳ１）。
【００５９】
次に、操作された画像形成装置２０の操作検知部３０が、ユーザーによる操作を検出する（ステップＳ２）。
【００６０】
次に、操作された画像形成装置２０の特徴量取得部２１ａが、ユーザーの操作特性から個々の特徴量を取得する（ステップＳ３）。特徴量取得部２１ａは、取得した特徴量を管理サーバー１０に送信する。
【００６１】
次に、管理サーバー１０の特徴量受信部１１ａがユーザーにより操作された画像形成装置２０から特徴量を受信し、操作モデル算出部１１ｂが、受信した特徴量に基づき、ユーザーの操作モデルを算出する（ステップＳ４）。
【００６２】
次に、操作されている画像形成装置２０が属するグループに登録されているユーザーの操作モデルの各々に対して、以下のステップＳ６およびステップＳ７を繰り返し実行する（ステップＳ５）。
【００６３】
次に、管理サーバー１０の類似率計算部１１ｃが、ステップＳ４で算出された、現在画像形成装置２０を操作しているユーザーの操作モデルと、記憶部１７に記憶されているグループに登録されたユーザーの操作モデルとの類似率を計算する（ステップＳ６）。
【００６４】
次に、管理サーバー１０の類似率計算部１１ｃは、計算した類似率が、予め定められたしきい値以上であるか否かを判断する（ステップＳ７）。
【００６５】
類似率がしきい値以上である場合（ステップＳ７のＹＥＳ）、類似率計算部１１ｃは、操作モデル更新部１１ｄを呼び出し、操作モデル更新部１１ｄは、該当ユーザーの操作モデルを更新して処理を終了する（ステップＳ８）。
【００６６】
類似率がしきい値未満である場合（ステップＳ７のＮＯ）、類似率計算部１１ｃは、次の登録ユーザーの操作モデルに対して、ステップＳ６、Ｓ７の処理を繰り返す。
【００６７】
ユーザーが操作している画像形成装置２０が属するグループに登録されている登録ユーザーの操作モデルのいずれに対しても類似率がしきい値未満であった場合、不正ユーザー通知部１１ｅが、画像形成システム１の管理者に対し、グループに登録されていないユーザーによる画像形成装置２０の利用があった旨を通知し、処理を終了する（ステップＳ９）。
【００６８】
以上、画像形成システム１における処理の流れについて説明した。
【００６９】
［補足事項］
以上のように、本発明に係る画像形成システム１は、ネットワーク接続された、管理サーバー１０と前記管理サーバー１０によりグループに分けて管理される1以上の画像形成装置２０とを含み、前記1以上の画像形成装置２０の各々は、前記管理サーバー１０と通信可能な第1の通信部２８と、ユーザーによる操作を検知する操作検知部３０と、前記操作検知部３０により検知された操作から得られる操作特性から特徴量を取得し、取得した前記特徴量を前記管理サーバー１０に送信する特徴量取得部１１ａとを備え、前記管理サーバー１０は、前記グループに登録された1以上の登録ユーザーの操作モデル１７ａが記憶された記憶部１７と、前記1以上の画像形成装置２０と通信可能な第２の通信部１５と、前記1以上の画像形成装置２０を前記グループに分けて管理する画像形成装置管理部１１ｆと、前記ユーザーが操作した画像形成装置２０から前記特徴量を受信する特徴量受信部１１ａと、前記特徴量に基づき前記ユーザーの操作モデルを算出する操作モデル算出部１１ｂと、前記ユーザーの操作モデルと前記記憶部１７に記憶されている前記1以上の登録ユーザーの操作モデル１７ａの各々との類似率を計算し、前記類似率がしきい値以上である前記登録ユーザーの操作モデル１７ａがあれば操作モデル更新部１１ｄを呼び出し、前記類似率がいずれの前記グループ内の登録ユーザーの操作モデル１７ａに対してもしきい値未満であれば不正ユーザー通知部１１ｅを呼び出す類似率計算部１１ｃと、前記類似率計算部１１ｃで前記類似率がしきい値以上である操作モデル１７ａが記憶されていた場合に、当該登録ユーザーのものとして記憶している操作モデル１７ａを前記ユーザーの操作モデルで更新する前記操作モデル更新部１１ｄと、現在画像形成装置を操作しているユーザーは、前記グループに登録されていない不正ユーザーであるとして管理者に通知する前記不正ユーザー通知部１１ｅとを備える。
【００７０】
そのため、ユーザーの操作に基づいて不正ユーザーを通知できる。
【００７１】
その他、本発明は、上述の実施形態にのみ限定されるものではなく、本発明の要旨を逸脱しない範囲内において種々変更を加え得ることは勿論である。
【符号の説明】
【００７２】
１  …  画像形成システム
１０  …  管理サーバー
１１  …  ＣＰＵ
１１ａ…  特徴量受信部
１１ｂ…  操作モデル算出部
１１ｃ…  類似率計算部
１１ｄ…  操作モデル更新部
１１ｅ…  不正ユーザー通知部
１１ｆ…  画像形成装置管理部
１２  …  ＲＯＭ
１３  …  ＲＡＭ
１４  …  操作入力部
１５  …  通信部
１６  …  表示部
１７  …  記憶部
１７ａ…  操作モデル
１８  …  バス
２０  …  画像形成装置
２１  …  制御部
２１ａ…  特徴量取得部
２２  …  原稿読取部
２３  …  画像処理部
２４  …  画像メモリー
２５  …  画像形成部
２６  …  操作部
２６ａ…  表示部
２７  …  ファクシミリ通信部
２８  …  通信部
２９  …  記憶部
３０  …  操作検知部
３０ａ…  加速度センサ
３０ｂ…  感圧センサ
【図１】
2019080132.tif 000003
【図２】
2019080132.tif 000004
【図３】
2019080132.tif 000005
【図４】
2019080132.tif 000006